(57)【特許請求の範囲】
【請求項１】
底面および底面の周囲から立ち上がった側壁を備え、上面が開放されている、内容物を収容するための容器本体と、
前記容器本体の上面を閉じるための蓋と、
前記容器本体の側壁に形成された突起であって、別添品が入れられてトップシールされた内容器を載せるために、水平方向に延びる設置面、および設置面に載せられた内容器が水平方向へ動かないように、設置面の外縁から上方へ延びる固定面を含む、側壁から容器本体内方へ突出する突起とを含み、
前記固定面の上端には、容器本体の外方へ向かって斜め上方へ延びる傾斜面が連続していることを特徴とする包装用容器。
【請求項２】
前記突起は、少なくとも側壁の３箇所に形成されていることを特徴とする、請求項１記載の包装用容器。
【請求項３】
前記内容器は、シール用フィルムでトップシールされる開口の周囲に、当該シール用フィルムが貼り付けられるフランジを有し、
内容器の前記フランジが前記設置面に載せられることを特徴とする、請求項１または２に記載の包装用容器。
【発明の詳細な説明】
【技術分野】
【０００１】
この発明は、食品を収納して販売するための包装用容器に関し、特に、トップシールされた内容器に別添品が入れられていて、その別添品が入った内容器を他の食品とともに容器内に収容して販売する包装用容器に関する。
【背景技術】
【０００２】
スーパーマーケットやコンビニ等で、たとえば透明な樹脂容器に収容されたサラダが販売されている。樹脂容器内には、複数種類の野菜（一口大にちぎったレタス、輪切りにしたきゅうり、千切りにした人参など）と共に、ドレッシングが封入された内容器が別添品として収容されているものがある。
【０００３】
また、特許文献１には、容器本体の蓋に対して、別添品のための容器を設けた構成が示されている。
【特許文献１】特開平９−８６５７１号公報
【発明の開示】
【発明が解決しようとする課題】
【０００４】
このように別添品が収容された包装用容器では、内容器（別添品）が容器内で動き、野菜の中に埋もれてしまう等により、商品としての見栄えが悪いという課題があった。
【０００５】
サラダのドレッシングの例に限らず、内容器に封入される別添えの食品としては、ところてんにかける蜜、ゼリー状食品、豆腐等を例示することができるが、いずれの場合も、別添品を入れた内容器が包装用容器内で動くという課題がある。
【０００６】
より具体的に、たとえば、サラダと豆腐をセットにして販売する場合、内容器に入れた別添品としての豆腐をサラダと一緒に１つの包装用容器に収容しなければならないが、現状では、次のような問題点がある。
（１）１つの容器にサラダおよび豆腐を収容すると、販売場所等へ商品を搬送する流通時等に、包装用容器内で豆腐が動いてサラダの中に隠れたり、サラダが片寄ったりするという問題がある。
（２）サラダおよび豆腐を別々の容器に収容すると、容器コストが高くなる。
【０００７】
また、セット販売をするサラダおよび豆腐を常に一緒に扱わねばならず、商品の取り扱いも不便である。
（３）サラダおよび豆腐を、それぞれ、見栄え良く１つの包装用容器に収容する必要があるが、このような課題を解消した包装用容器は未だ開発されていない。
【０００８】
一方、特許文献１に記載の構成では、別添品の容器は動かないが、蓋に上面から収容する凹部を設け、そこに別添品を収容するため、蓋の上をさらに覆わなければならず、構成が複雑になる。
【０００９】
この発明は、係る背景のもとになされたもので、サラダおよび豆腐をセットにして販売する際に、サラダおよび豆腐をそれぞれ見栄え良く収容することのできる包装用容器を提供することを１つの目的とする。
【００１０】
この発明は、また、内容器内にトップシールにより封入されたドレッシング、ゼリー状食品、豆腐等の液状、ゲル状または形状が崩れ易い食品を、別添品として包装用容器の中に収容し、包装用容器の中に収容された食品と、別添品とが、包装用容器内で見栄え良く配置され、かつ、別添品が動かない包装用容器を提供することを他の目的とする。
【課題を解決するための手段】
【００１１】
請求項１記載の発明は、底面および底面の周囲から立ち上がった側壁を備え、上面が開放されている、内容物を収容するための容器本体と、前記容器本体の上面を閉じるための蓋と、前記容器本体の側壁に形成された突起であって、別添品が入れられてトップシールされた内容器を載せるために、水平方向に延びる設置面、および設置面に載せられた内容器が水平方向へ動かないように、設置面の外縁から上方へ延びる固定面を含む、側壁から容器本体内方へ突出する突起とを含み、前記固定面の上端には、容器本体の外方へ向かって斜め上方へ延びる傾斜面が連続していることを特徴とする包装用容器である。
【００１２】
請求項２記載の発明は、前記突起は、少なくとも側壁の３箇所に形成されていることを特徴とする、請求項１記載の包装用容器である。
【００１４】
請求項３記載の発明は、前記内容器は、シール用フィルムでトップシールされる開口の周囲に、当該シール用フィルムが貼り付けられるフランジを有し、内容器の前記フランジが前記設置面に載せられることを特徴とする、請求項１または２に記載の包装用容器である。
【発明の効果】
【００１５】
請求項１記載の発明によれば、容器本体には、別添品が入れられてトップシールされた内容器を載せるための突起が備えられている。突起は、側壁に形成され、側壁から容器本体内へ突出している。突起には、内容器を載せるための設置面と、内容器が動かないように規制する固定面とが含まれている。それゆえ、容器本体内に入れられた内容器は、突起の設置面で支えられ、かつ、固定面で移動しないように規制される。
【００１６】
従って、容器本体内に収容された内容物と、内容器に封入された別添品とが容器本体内で混ざらず、容器本体内に収容された内容物および内容器に封入された別添品が、見栄え良く容器本体内に配置された状態が保たれる。
【００１７】
よって、購買意欲を減少させないように、食品を見栄えよく収容できる包装用容器とすることができる。
また、突起には、設置面および固定面が備えられているのに加え、固定面の上端から容器本体の外方へ向かって斜め上方へ延びる傾斜面が備えられている。この傾斜面は、容器本体内へ内容器を収める際に、内容器を案内して設置面上に導く働きをする。従って、内容器を容器本体に入れる際に、作業性が良い包装用容器とすることができる。
【００１８】
請求項２記載の発明では、突起は、少なくとも側壁の３箇所に形成されているから、内容器は少なくとも３箇所で受け取められ、動かないように安定して保持される。
【００１９】
なお、側壁の突起は、３箇所以上であればよく、たとえば平面視が略四角形の包装用容器であれば、４つの側壁にそれぞれ突起が設けられ、合計４箇所の突起が設けられている構成が好ましい。
【００２１】
請求項３記載の発明では、内容器は、トップシール用のフランジを備え、このフランジ部が突起の設置面に載せられる。従って、内容器は突起の設置面に安定して載置され、内容器が容器本体内で動いたりがたつくことを確実に防止することができる。
【発明を実施するための最良の形態】
【００２２】
以下には、図面を参照して、この発明の一実施形態として、内容器に入れられた別添品が豆腐で、容器本体に収容される食品がサラダの場合を例にとって説明する。
【００２３】
しかしながら、この発明は、容器本体に収容される第１の食品と、内容器に入れられた第２の食品とが、容器本体内に一緒に収容されて販売される包装用容器を広く対象としており、食品は、上述のように、豆腐およびサラダに限定されるものではない。
【００２４】
図１は、この発明の一実施形態に係る包装用容器であって、蓋が省略された分解斜視図であり、図２は、その包装用容器の中央縦断面図であり、図３は、図２に示す包装用容器を線Ａ−Ａに沿って切断した状態を示す斜視図（但し、蓋は省略されている。）である。      
【００２５】
図１〜図３を参照して、包装用容器１は、容器本体２、蓋３、および内容器４を有している。
【００２６】
容器本体２は、この実施形態では、平面視が略正方形状で、上面開口に比べて底面がやや狭くなった全体形状をしている。具体的には、容器本体２は、平面視略正方形状の底面５を形成している底板と、底面５の周囲から斜め上方へ外側に向かって立ち上がった４つの側壁６とを備えている。容器本体２は、４つの側壁６の上端縁で区画された上面が開放されていて、上面から４つの側壁６および底面５で区画された収容庫７内に内容物を自由に出し入れできる形状をしている。
【００２７】
４つの側壁６には、それぞれ、側壁６の幅方向中央部に、上下方向に長手の突起８が形成されている。各突起８には、それぞれ、水平方向に延びる設置面９と、設置面９の外縁から上方へ延びる固定面１０と、固定面１０の上縁から斜め上方へ向かって外側へ延びる傾斜面１１とが含まれている。
【００２８】
設置面９は、収容庫７の深さ方向に見て、ほぼ中央部に位置している。各突起８に設けられた各設置面９により、内容器４は受け取められる。また、各突起８に形成された固定面１０は、設置面９により受け取められた内容器４が、水平方向にずれたり移動するのを阻止する。
【００２９】
この実施形態では、設置面９の収容庫７内方への張り出し寸法Ｄは、２．０〜７．０ｍｍ程度であり、設置面９の幅Ｗ１は２．０〜３０．０ｍｍ程度である。
【００３０】
また、固定面１０の高さＨは１．０〜２０．０ｍｍ程度であり、固定面１０の幅Ｗ２は、２．０〜３０．０ｍｍ程度である。
【００３１】
また、各突起８は、その上部に傾斜面１１を有している。傾斜面１１は、容器本体２の上部開口縁１２から収容庫７内に向かって斜めに傾斜している。このため、傾斜面１１は収容庫７内に内容器４を入れる際に、内容器４を案内する働きをし、内容器４を設置面９上に載せる際に、作業をし易くしている。
【００３２】
この実施形態では、容器本体２は樹脂シートが熱成型されて作られており、底面５、４つの側壁６および４つの突起８等は全て一体的に形成されている。
【００３３】
なお、容器本体２の成型方法は、シートの熱成型ではなく、射出成型を採用することも可能である。
【００３４】
内容器４は、この実施形態では透明な樹脂シートが熱成型により平面視円形のボウル状に作られている。内容器４は、その底面１３が上になるように、逆さまにされて容器本体２内に収められる。内容器４の開口（図１〜３では下方に位置している。）１４の周囲には水平方向に張り出したフランジ１５が備えられている。内容器４に別添品としての豆腐が入れられ、開口１４がシール用フィルムで覆われて、シール用フィルムの周縁がフランジ１５に貼り付けられることによって、内容器４はトップシールされる。そしてトップシールされた内容器４は、逆さまに向けられ、容器本体２の収容庫７内に入れられる。
【００３５】
よって、内容器４のフランジ１５が、設置面９に載せられる。フランジ１５は水平方向に張り出しており、設置面９は水平方向に延びているから、両者は水平面同士で対向し、内容器４は安定して設置面９に受け取められる。
【００３６】
内容器４は透明な樹脂で形成されており、その中に入れられた別添品（この実施形態では豆腐）が目視可能である。そして、収容庫７内において、内容器４は収容庫７の上半分の領域に浮き上がるように配置されており、収容庫７内の下方領域に収容されるサラダを圧迫したり押し潰したりすることがない。
【００３７】
また、内容器４の水平方向への移動は、固定面１０により阻止されており、内容器４は収容庫７内で変位したり移動しない。よって、収容庫７内に収容された内容物（サラダ）と内容器４（豆腐）との位置関係やバランス関係が変わらず、容器本体２に収容された食品（サラダおよび豆腐）の見栄えが良い。また、その見栄えの良い状態を維持することができる。
【００３８】
容器本体２内に内容器４が収容された後、容器本体２に蓋３が被せられる。その際、容器本体２の上部開口縁１２に対して、蓋３の外周縁を構成する張り出し部１６が嵌め合わされて、容器本体２の上面開口が塞がれる。かかる容器本体２に対する蓋３の嵌め合わせ構造は、公知の種々の構成を採用することができる。
【００３９】
この実施形態では、容器本体２が蓋３で塞がれた状態において、収容された内容器４の底面１３と蓋３との隙間Ｇは、０．５〜５．０ｍｍ程度となるように設計されている。内容器４の底１３と蓋３との隙間Ｇを上述のように狭く設計することにより、容器本体２内に収容された内容器４が上下方向にも変位するのが阻止される。これにより、包装用容器１が、運搬時や商品棚に配置される際に、包装用容器１が斜めにされたり多少乱暴な扱いを受けても、容器本体２内の内容器４が変位したり移動したりするのを防止することができる。
【００４０】
この発明に係る包装用容器には、次のような実施形態（変形例）も含まれる。
【００４１】
図４Ａに示すように、容器本体２の平面形状は、たとえば略円形であってもよい。そして、平面視略円形の包装用容器２には、側壁６から収容庫７内に突出するたとえば３つの突起８が設けられていてもよい。突起８には、それぞれ、設置面９、固定面１０および傾斜面１１が備えられている。
【００４２】
また、図４Ｂに示すように、容器本体２の平面形状は、たとえば略長方形状であってもよい。そして、収容庫７の中央部に内容器４が収められる構成ではなく、収容庫７の一方側面寄りに内容器４が配置される構成とすることもできる。
【００４３】
この場合には、容器本体２の側壁６に形成された突起８のうち、少なくとも２つの突起８は、内容器４が図４Ｂにおいて右方向へ移動するのを阻止するための固定面１０が備えられている。
【００４４】
これらの変形例から、容器本体２の平面形状は任意形状（たとえば、楕円形、多角形などでもよい）でよく、また、突起８の数も３箇所以上に設けられていればよいことが理解できる。
【００４５】
また、蓋３は、容器本体２の上部開口を塞ぐものであればよく、容器本体２の上部開口に対して外嵌合するもの、内嵌合するもの等種々の形式が採用できる。
【００４６】
その他、この発明は、請求項記載の範囲内において種々の変更が可能である。
【図面の簡単な説明】
【００４７】
【図１】この発明の一実施形態に係る包装用容器であって、蓋が省略された包装用容器の分解斜視図である。
【図２】この発明の一実施形態に係る包装用容器の中央縦断面図である。
【図３】図２に示す包装用容器を線Ａ−Ａに沿って切断した状態を示す斜視図であり、蓋が省略された図である。
【図４】この発明に係る包装用容器の他の実施形態（変形例）を説明するための図である。
【符号の説明】
【００４８】
１    包装用容器
２    容器本体
３    蓋
４    内容器
５    容器本体の底面
６    容器本体の側壁
７    収容庫
８    突起
９    設置面
１０    固定面
１１    傾斜面
１５    フランジ
【図１】
0004825039.tif 000002
【図２】
0004825039.tif 000003
【図３】
0004825039.tif 000004
【図４】
0004825039.tif 000005